(57)【要約】【課題】リアルタイムに装置の診断が行え、燃料の無駄や装置トラブルを事前に回避することができる排ガス処理装置の診断システムを提供する。【解決手段】排ガスに含まれる有機成分を処理する燃焼手段２１を備えた燃焼室２２と、燃焼室２２において燃焼処理された処理済みガスの熱を蓄熱し、蓄熱した熱で燃焼室２２に供給される排ガスを予熱する蓄熱体２６が収容された蓄熱室２３と、蓄熱室２３から処理済みガスが排出される排出ライン５１と、燃焼室２２から蓄熱室２３をバイパスして処理済みガスが排出されるバイパスライン５２と、バイパスライン５２を開閉するバイパス弁５３と、排出ライン５１とバイパスライン５２を合流させる合流ライン５４と、を備える排ガス処理装置２において、排ガス処理装置２からデータを取得するデータ取得部９２と、データ取得部９２が取得したデータから診断を行う診断部９３と、診断部９３が行った診断結果を表示する表示部９４と、を備える。【選択図】図１
2019152396.tif 000002
【特許請求の範囲】
【請求項１】
排ガスに含まれる有機成分を処理する燃焼手段を備えた燃焼室と、
前記燃焼室において燃焼処理された処理済みガスの熱を蓄熱し、蓄熱した熱で前記燃焼室に供給される排ガスを予熱する蓄熱体が収容された蓄熱室と、
前記蓄熱室から処理済みガスが排出される排出ラインと、
前記燃焼室から前記蓄熱室をバイパスして処理済みガスが排出されるバイパスラインと、
前記バイパスラインを開閉するバイパス弁と、
前記排出ラインと前記バイパスラインを合流させる合流ラインと、を備える排ガス処理装置において、
前記排ガス処理装置からデータを取得するデータ取得部と、
前記データ取得部が取得したデータから診断を行う診断部と、
前記診断部が行った診断結果を表示する表示部と、を備えることを特徴とする、排ガス処理装置の診断システム。
【請求項２】
前記データ取得部は、前記バイパス弁が開放されている時間を取得し、
前記診断部は、前記バイパス弁が開放されている時間が所定時間より長い場合には、排熱利用がさらに可能と診断し、
前記表示部は、排熱利用がさらに可能であることを表示する、請求項１記載の診断システム。
【請求項３】
前記データ取得部は、前記燃焼手段が燃焼処理している時間を取得し、
前記診断部は、前記燃焼手段が燃焼処理している時間が所定時間より長い場合には、排熱利用がさらに可能と診断し、
前記表示部は、排熱利用がさらに可能であることを表示する、請求項１又は２に記載の診断システム。
【請求項４】
前記データ取得部は、前記排出ラインの排気温度と前記合流ラインの排気温度を取得し、
前記診断部は、前記バイパス弁が閉止されているとき、前記合流ラインの排気温度が前記排出ラインの排気温度より高い場合には、前記バイパス弁に漏れが生じていると診断し、
前記表示部は、前記バイパス弁に漏れが生じていることを表示する、請求項１〜３のいずれか１つに記載の診断システム。
【請求項５】
前記表示部が表示した内容を前記排ガス処理装置の使用者に連絡する連絡手段を備えている、請求項１〜４のいずれか１つに記載の診断システム。
【請求項６】
印刷装置を備えており、
前記印刷装置は、前記表示部が表示した内容を書面に印刷する、請求項１〜４のいずれか１つに記載の診断システム。
【請求項７】
請求項６記載の診断システムによって印刷された診断書。
【発明の詳細な説明】
【技術分野】
【０００１】
本発明は、排ガスに含まれる有機成分を処理する排ガス処理装置を診断する診断システムに関する。
【背景技術】
【０００２】
塗装工場等から排出される有機成分（Volative Organic Compounds：以下「ＶＯＣ」と称する）を含む排ガスは、蓄熱式燃焼脱臭装置（Regenerative Thermal Oxidizer：以下「ＲＴＯ」と称する）等の排ガス処理装置によって加熱分解処理される。ＲＴＯでは、特許文献１に示されるように、定期的に清掃が必要であり、また、特許文献２に示されるように、待機時にバーナの燃焼を中止し、燃焼室を保温する等の省エネ対策が試みられている。
【先行技術文献】
【特許文献】
【０００３】
【特許文献１】特開２０１６−１９４３９０号公報
【特許文献２】特開２０１６−２０５７１２号公報
【発明の概要】
【発明が解決しようとする課題】
【０００４】
ここで、排ガス処理装置の省エネ対策や設備の交換については、使用者が自主的にその工程や運転状態を調整しながら行う必要があり、排ガス処理装置の所定データから診断を行い、排ガス処理装置のエネルギー利用効率を向上させることが求められている。
【０００５】
そこで本発明では、排ガス処理装置からデータを取得し診断することによって、リアルタイムに装置の診断が行え、燃料の無駄や装置トラブルを事前に回避することができる排ガス処理装置の診断システムを提供することを目的とする。
【課題を解決するための手段】
【０００６】
本発明の一態様は、排ガスに含まれる有機成分を処理する燃焼手段を備えた燃焼室と、
前記燃焼室において燃焼処理された処理済みガスの熱を蓄熱し、蓄熱した熱で前記燃焼室に供給される排ガスを予熱する蓄熱体が収容された蓄熱室と、
前記蓄熱室から処理済みガスが排出される排出ラインと、
前記燃焼室から前記蓄熱室をバイパスして処理済みガスが排出されるバイパスラインと、
前記バイパスラインを開閉するバイパス弁と、
前記排出ラインと前記バイパスラインを合流させる合流ラインと、を備える排ガス処理装置において、
前記排ガス処理装置からデータを取得するデータ取得部と、
前記データ取得部が取得したデータから診断を行う診断部と、
前記診断部が行った診断結果を表示する表示部と、を備えることを特徴とする。
【０００７】
前記構成によれば、診断システムが排ガス処理装置からデータを取得するデータ取得部と、データ取得部が取得したデータから診断を行う診断部と、診断部が行った診断結果を表示する表示部とを備えることによって、リアルタイムに装置の診断が行え、燃料の無駄や装置トラブルを事前に回避することができる。
【０００８】
本発明は、さらに、次のような構成を備えるのが好ましい。
【０００９】
（１）前記データ取得部は、前記バイパス弁が開放されている時間を取得し、
前記診断部は、前記バイパス弁が開放されている時間が所定時間より長い場合には、排熱利用がさらに可能と診断し、
前記表示部は、排熱利用がさらに可能であることを表示する。
【００１０】
（２）前記データ取得部は、前記燃焼手段が燃焼処理している時間を取得し、
前記診断部は、前記燃焼手段が燃焼処理している時間が所定時間より長い場合には、排熱利用がさらに可能と診断し、
前記表示部は、排熱利用がさらに可能であることを表示する。
【００１１】
（３）前記データ取得部は、前記排出ラインの排気温度と前記合流ラインの排気温度を取得し、
前記診断部は、前記バイパス弁が閉止されているとき、前記合流ラインの排気温度が前記排出ラインの排気温度より高い場合には、前記バイパス弁に漏れ（リーク）が生じていると診断し、
前記表示部は、前記バイパス弁に漏れが生じていることを表示する。
【００１２】
（４）前記表示部が表示した内容を前記排ガス処理装置の使用者に連絡する連絡手段を備えている。
【００１３】
（５）印刷装置を備えており、
前記印刷装置は、前記表示部が表示した内容を書面に印刷する。
【００１４】
前記構成（１）によれば、排ガス処理装置の省エネ余地を判断できる。なお、排ガス処理装置に省エネ余地がある場合、熱交換器やボイラで空気や水を加熱することが考えられる。
【００１５】
前記構成（２）によれば、排ガス処理装置の省エネ余地を判断できる。なお、排ガス処理装置に省エネ余地がある場合、蓄熱体の容量を増加させ、排ガス予熱温度を上昇させることが考えられる。
【００１６】
前記構成（３）によれば、排ガス処理装置の装置であるバイパス弁のトラブルを事前に回避することができる。なお、対策として、バイパス弁を交換することが考えられる。
【００１７】
前記構成（４）によれば、使用者がリアルタイムに排ガス処理装置の省エネ余地を判断できる。なお、排ガス処理装置に省エネ余地がある場合、熱交換器やボイラで空気や水を加熱することが考えられる。
【００１８】
前記構成（５）によれば、表示部が表示した内容が印刷された書面を得ることができ、表示内容を自由に所持したり、郵送することができる。
【００１９】
本発明の別の態様は、前記構成（５）を備える診断システムによって印刷された診断書である。
【００２０】
上記別の態様によれば、表示部が表示した内容、すなわち、診断システムの診断結果を診断書として使用者に明示できる。
【発明の効果】
【００２１】
本発明によると、リアルタイムに装置の診断が行え、燃料の無駄や装置トラブルを事前に回避することができる排ガス処理装置の診断システムを提供できる。
【図面の簡単な説明】
【００２２】
【図１】本発明の実施形態に係る排ガス処理システムの概略図である。
【発明を実施するための形態】
【００２３】
図１は、本発明の実施形態に係る排ガス処理システムの概略図である。図１に示されるように、排ガス処理システム９０は、排ガスに含まれる有機成分を処理する排ガス処理装置２と、排ガス処理装置２を診断する診断システム９１と、を備えている。
【００２４】
排ガス処理装置２は、ＲＴＯであり、バーナ等の燃焼手段２１を備えた燃焼室２２と、燃焼室２２に一端が連通する少なくとも２つ（図１では２つ）の蓄熱室２３と、蓄熱室２３の他端に連通すると共に、排ガスをいずれかの蓄熱室２３に供給し、他の蓄熱室２３から処理済ガスを排出することを交互に行わせる電動弁等の切替装置２４と、を備えている。
【００２５】
塗装工程を通過直後の鋼帯等の処理材８２を乾燥させるオーブン８１において、蒸発して発生した排ガスは、供給ライン４１を通り、供給ファン２５から、切替装置２４を介して、蓄熱室２３の１つに供給される。そして、排ガスは、蓄熱室２３の蓄熱体２６と熱交換して加熱され、燃焼室２２に至る。
【００２６】
供給ライン４１には、供給ライン４１の排ガスを外部に放出する放気弁４２、供給ライン４１を開閉する開閉弁４３及び供給ライン４１に外気（空気）を供給する供給弁４４が設けられている。放気弁４２は、供給ライン４１の排ガスを排ガス処理装置２に送らず、外部に放出する場合に、開放される。また、供給弁４４は、オーブン８１から排ガスが供給されないときに、排ガス処理装置２に空気を供給し、排ガス処理装置２をウォームアップしたり、排ガスの濃度が高すぎる場合に希釈したりする場合に、開放される。
【００２７】
燃焼室２２に送られた排ガスは、燃焼手段２１によって燃焼処理される。具体的には、排ガス中のＶＯＣは、燃焼反応により無害化処理される。そして、燃焼処理された処理済ガスは他の蓄熱室２３を通り、その間に蓄熱室２３の蓄熱体２６と熱交換して冷却され、切替装置２４を介して、排出ライン５１に送られる。
【００２８】
また、燃焼室２２には、燃焼室２２からから蓄熱室２３をバイパスして処理済ガスが排出されるバイパスライン５２が連通しており、バイパスライン５２には、バイパスライン５２を開閉するバイパス弁５３が設けられている。そして、バイパス弁５３の下流側には、排出ライン５１とバイパスライン５２とを合流させる合流ライン５４が設けられている。
【００２９】
合流ライン５４の処理済ガスは、排気筒６１から外部に排出される。また、供給ファン５５から供給された空気は、合流ライン５４の高温の排気によって熱交換器５７で予熱され、供給ライン５６を介してラジアントチューブバーナのようなガスバーナ８３に供給されて、処理材８２の加熱等に用いられることもできる。
【００３０】
診断システム９１は、排ガス処理装置２からデータを取得するデータ取得部９２と、データ取得部９２が取得したデータから診断を行う診断部９３と、診断部９３が行った診断結果を表示する表示部９４と、を備えている。表示部９４は、画面に表示させるものに限定されず、書面等に印刷するものも含まれる。なお、表示部９４は、排ガス処理装置２と電気通信を行うようになっており、排ガス処理装置２に対して遠隔地に設けられてもよい。
【００３１】
診断システム９１はさらに、表示部９４が表示した内容を排ガス処理装置２の使用者に連絡する連絡手段９５を備えている。連絡手段９５は、表示部９４が表示した内容に加えて、表示部９４が表示した内容を診断書や提案書等の形に整理して、使用者に連絡することもできる。連絡手段は、表示部９４が表示した内容を使用者のパーソナルコンピュータに電子的に送付するものでもよい。また、表示部９４が表示した内容を、印刷装置９６を用いて「診断書」や「提案書」等の書面にしてもよい。
【００３２】
データ取得部９２は、排ガス処理装置２の各種データを取得する。取得するデータとしては、例えば、バイパス弁５３が開放されている時間（Ｓ１）、燃焼手段２１が燃焼処理している時間（Ｓ２）、燃焼室２２に供給される排ガスの流量（Ｑ１）、燃焼室２２の温度（Ｔ１）、排出ライン５１の排気温度（Ｔ２）、及び合流ライン５４の排気温度（Ｔ３）が挙げられる。
【００３３】
診断部９３は、データ取得部９２が取得したデータから、排ガス処理装置２からの回収可能熱量を算出する。表示部９４は、診断部９３が算出した回収可能熱量を表示する。
【００３４】
データ取得部９２が、バイパス弁５３が開放されている時間（Ｓ１）を取得する場合、診断部９３は、Ｓ１が所定時間より長い場合には、排熱利用がさらに可能と診断し、表示部９４は、排熱利用がさらに可能であることを表示する。
【００３５】
データ取得部９２が、燃焼手段２１が燃焼処理している時間（Ｓ２）を取得する場合、診断部９３は、Ｓ２が所定時間より長い場合には、排熱利用がさらに可能と診断し、表示部９４は、排熱利用がさらに可能であることを表示する。
【００３６】
データ取得部９２が、排出ライン５１の排気温度（Ｔ２）と合流ライン５４の排気温度（Ｔ３）を取得する場合、診断部９３は、バイパス弁５３が閉止されているとき、Ｔ３がＴ２より高い場合には、バイパス弁５３に漏れが生じていると診断し、表示部９４は、バイパス弁５３に漏れが生じていることを表示する。
【００３７】
また、データ取得部９２が、燃焼室２２に供給される排ガスの流量（Ｑ１）、燃焼室２２の温度（Ｔ１）、排出ライン５１の処理済ガスの温度（Ｔ２）、及び燃焼手段２１の燃料消費量（Ｑ２）を取得する場合、診断部９３は、排ガス処理装置２の必要熱量を算出する。表示部９４は、診断部９３が算出した必要熱量を表示する。
【００３８】
また、データ取得部９２が、バイパス弁５３が閉止されているときのリーク量（Ｑ３）を取得する場合、診断部９３は、バイパス弁５３の取替時期を算出する。表示部９４は、診断部９３が算出した取替時期を表示する。
【００３９】
なお、診断システム９１は、排ガス処理装置２の近傍に設けられてもよく、また、排ガス処理装置２から離れて設けられ、排ガス処理装置２の遠隔から排ガス処理装置２のデータを取得し、データの診断を行い、診断結果を表示するようになっていてもよい。
【００４０】
前記構成の排ガス処理システム９０によれば、次のような効果を発揮できる。
【００４１】
（１）診断システム９１が、排ガス処理装置２からデータを取得するデータ取得部９２と、データ取得部９２が取得したデータから診断を行う診断部９３と、診断部９３が行った診断結果を表示する表示部９４とを備えている。したがって、リアルタイムに装置の診断が行え、燃料の無駄や装置トラブルを事前に回避することができる。
【００４２】
（２）データ取得部９２は、バイパス弁５３が開放されている時間を取得し、診断部９３は、バイパス弁５３が開放されている時間が所定時間より長い場合には、排熱利用がさらに可能と診断し、表示部９４は、排熱利用がさらに可能であることを表示する。したがって、排ガス処理装置２の省エネ余地を判断できる。なお、排ガス処理装置２に省エネ余地がある場合、合流ライン５４の排気の熱を用い、熱交換器やボイラで空気や水を加熱することが考えられる。
【００４３】
（３）データ取得部９２は、燃焼手段２１が燃焼処理している時間を取得し、診断部９３は、燃焼手段２１が燃焼処理している時間が所定時間より長い場合には、排熱利用がさらに可能と診断し、表示部９４は、排熱利用がさらに可能であることを表示する。したがって、排ガス処理装置２の省エネ余地を判断できる。なお、排ガス処理装置２に省エネ余地がある場合、蓄熱体２６の容量を増加させ、排ガス予熱温度を上昇させることが考えられる。
【００４４】
（４）データ取得部９２は、排出ライン５１の排気温度と合流ライン５４の排気温度を取得し、診断部９３は、バイパス弁５３が閉止されているとき、合流ライン５４の排気温度が排出ライン５１の排気温度より高い場合には、バイパス弁５３に漏れが生じていると診断し、表示部９４は、バイパス弁５３に漏れが生じていることを表示する。したがって、排ガス処理装置２の装置であるバイパス弁５３のトラブルを事前に回避することができる。なお、対策として、バイパス弁を交換することが考えられる。
【００４５】
（５）表示部９４が表示した内容を排ガス処理装置２の使用者に連絡する連絡手段９５を備えている。したがって、使用者がリアルタイムに排ガス処理装置２の省エネ余地を判断できる。なお、排ガス処理装置に省エネ余地がある場合、熱交換器やボイラで空気や水を加熱することが考えられる。
【００４６】
（６）排ガス処理装置２の所定データから排ガス処理装置２からの回収可能熱量及び／又は排ガス処理装置２の必要熱量を算出することによって、それらの熱量の有効利用を検討することができ、それにより、排ガス処理装置２のエネルギー利用効率を向上させることができる。
【００４７】
（７）データ取得部９２は、燃焼室２２に供給される排ガスの流量（Ｑ１）、燃焼室２２の温度（Ｔ１）、排出ライン５１の処理済ガスの温度（Ｔ２）、及び合流ライン５４の処理済ガスの温度（Ｔ３）を取得し、診断部９３は、データ取得部９２が取得したデータから、排ガス処理装置２からの回収可能熱量を算出するので、回収可能熱量から廃熱利用のための廃熱ボイラの設置を検討することができ、それにより、排ガス処理装置２のエネルギー利用効率を向上させることができる。
【００４８】
（８）データ取得部９２は、燃焼室２２に供給される排ガスの流量（Ｑ１）、燃焼室２２の温度（Ｔ１）、排出ライン５１の処理済ガスの温度（Ｔ２）、及び燃焼手段２１の燃料消費量（Ｑ２）を取得し、診断部９３は、データ取得部９２が取得したデータから、排ガス処理装置２の必要熱量を算出するので、必要熱量から蓄熱室２３にさらに蓄熱体２６を設置することを検討でき、それにより、排ガス処理装置２のエネルギー利用効率を向上させることができる。より具体的には、蓄熱体２６をさらに設置することによって、処理済ガスの熱量を蓄熱できる量を増加させることができ、蓄熱体２６で蓄熱した熱量を供給ライン４１から流入する排ガスに付与することによって、燃焼室２２における燃焼手段２１の必要燃料を低減することができる。
【００４９】
（９）データ取得部９２は、バイパス弁５３のリーク量（Ｑ３）を取得し、診断部９３は、データ取得部９２が取得したデータから、バイパス弁５３の取替時期を算出する。ここで、バイパス弁５３のリーク量が大きくなると、熱量の損失が大きいので、リーク量の大きいバイパス弁５３をリークの無いものに取り替えることによって、排ガス処理装置２のエネルギー効率を向上させることができる。
【００５０】
（１０）排ガス処理装置２で処理された処理済ガスをオーブン８１における処理材８２の加熱に利用しているので、排ガス処理システム９０全体の熱効率をさらに向上させることができる。
【００５１】
上記実施形態では、排ガス処理装置２は蓄熱式燃焼脱臭装置（ＲＴＯ）であるが、本発明の排ガス処理装置は蓄熱式燃焼脱臭装置に限定されず、有機成分を含む排ガスを燃焼処理する装置であればよい。
【００５２】
上記実施形態では、オーブン８１からの排ガスを排ガス処理装置２で処理した後、処理済ガスを同じオーブン８１において処理材８２の加熱に利用しているが、異なる設備や工場において利用してもよい。
【００５３】
特許請求の範囲に記載された本発明の精神及び範囲から逸脱することなく、各種変形及び変更を行うことも可能である。
【産業上の利用可能性】
【００５４】
本発明では、リアルタイムに装置の診断が行え、燃料の無駄や装置トラブルを事前に回避することができる排ガス処理装置の診断システムを提供できるので、産業上の利用価値が大である。
【符号の説明】
【００５５】
２  排ガス処理装置  
２１  燃焼手段  ２２  燃焼室  ２３  蓄熱室  ２４  切替装置  
２５  供給ファン  ２６  蓄熱体  
４１  供給ライン  ４２  放気弁  ４３  開閉弁  ４４  供給弁  
５１  排出ライン  ５２  バイパスライン  ５３  バイパス弁  
５４  合流ライン  ５５  供給ファン  ５６  供給ライン  ５７  熱交換器  
６１  排気筒  
８１  オーブン  ８２  処理材  ８３  ガスバーナ  
９０  排ガス処理システム  
９１  診断システム  
９２  データ取得部  
９３  診断部  
９４  表示部  
９５  連絡手段  
９６  印刷手段  
【図１】
2019152396.tif 000003
【手続補正書】
【提出日】平成30年6月7日(2018.6.7)
【手続補正１】
【補正対象書類名】特許請求の範囲
【補正対象項目名】全文
【補正方法】変更
【補正の内容】
【特許請求の範囲】
【請求項１】
排ガスに含まれる有機成分を処理する燃焼手段を備えた燃焼室と、
前記燃焼室において燃焼処理された処理済みガスの熱を蓄熱し、蓄熱した熱で前記燃焼室に供給される排ガスを予熱する蓄熱体が収容された蓄熱室と、
前記蓄熱室から処理済みガスが排出される排出ラインと、
前記燃焼室から前記蓄熱室をバイパスして処理済みガスが排出されるバイパスラインと、
前記バイパスラインを開閉するバイパス弁と、
前記排出ラインと前記バイパスラインを合流させる合流ラインと、を備える排ガス処理装置において、
前記排ガス処理装置からデータを取得するデータ取得部と、
前記データ取得部が取得したデータから診断を行う診断部と、
前記診断部が行った診断結果を表示する表示部と、を備え、
前記データ取得部は、前記バイパス弁が開放されている時間を取得し、
前記診断部は、前記バイパス弁が開放されている時間が所定時間より長い場合には、排熱利用がさらに可能と診断し、
前記表示部は、排熱利用がさらに可能であることを表示することを特徴とする、排ガス処理装置の診断システム。
【請求項２】
排ガスに含まれる有機成分を処理する燃焼手段を備えた燃焼室と、
前記燃焼室において燃焼処理された処理済みガスの熱を蓄熱し、蓄熱した熱で前記燃焼室に供給される排ガスを予熱する蓄熱体が収容された蓄熱室と、
前記蓄熱室から処理済みガスが排出される排出ラインと、
前記燃焼室から前記蓄熱室をバイパスして処理済みガスが排出されるバイパスラインと、
前記バイパスラインを開閉するバイパス弁と、
前記排出ラインと前記バイパスラインを合流させる合流ラインと、を備える排ガス処理装置において、
前記排ガス処理装置からデータを取得するデータ取得部と、
前記データ取得部が取得したデータから診断を行う診断部と、
前記診断部が行った診断結果を表示する表示部と、を備え、
前記データ取得部は、前記燃焼手段が燃焼処理している時間を取得し、
前記診断部は、前記燃焼手段が燃焼処理している時間が所定時間より長い場合には、排熱利用がさらに可能と診断し、
前記表示部は、排熱利用がさらに可能であることを表示することを特徴とする、排ガス処理装置の診断システム。
【請求項３】
排ガスに含まれる有機成分を処理する燃焼手段を備えた燃焼室と、
前記燃焼室において燃焼処理された処理済みガスの熱を蓄熱し、蓄熱した熱で前記燃焼室に供給される排ガスを予熱する蓄熱体が収容された蓄熱室と、
前記蓄熱室から処理済みガスが排出される排出ラインと、
前記燃焼室から前記蓄熱室をバイパスして処理済みガスが排出されるバイパスラインと、
前記バイパスラインを開閉するバイパス弁と、
前記排出ラインと前記バイパスラインを合流させる合流ラインと、を備える排ガス処理装置において、
前記排ガス処理装置からデータを取得するデータ取得部と、
前記データ取得部が取得したデータから診断を行う診断部と、
前記診断部が行った診断結果を表示する表示部と、を備え、
前記データ取得部は、前記排出ラインの排気温度と前記合流ラインの排気温度を取得し、
前記診断部は、前記バイパス弁が閉止されているとき、前記合流ラインの排気温度が前記排出ラインの排気温度より高い場合には、前記バイパス弁に漏れが生じていると診断し、
前記表示部は、前記バイパス弁に漏れが生じていることを表示することを特徴とする、排ガス処理装置の診断システム。
【請求項４】
前記表示部が表示した内容を前記排ガス処理装置の使用者に連絡する連絡手段を備えている、請求項１〜３のいずれか１つに記載の診断システム。
【請求項５】
印刷装置を備えており、
前記印刷装置は、前記表示部が表示した内容を書面に印刷する、請求項１〜３のいずれか１つに記載の診断システム。
【請求項６】
請求項５記載の診断システムによって印刷された診断書。
によって印刷された診断書。
【手続補正書】
【提出日】平成30年7月11日(2018.7.11)
【手続補正１】
【補正対象書類名】特許請求の範囲
【補正対象項目名】全文
【補正方法】変更
【補正の内容】
【特許請求の範囲】
【請求項１】
排ガスに含まれる有機成分を処理する燃焼手段を備えた燃焼室と、
前記燃焼室において燃焼処理された処理済みガスの熱を蓄熱し、蓄熱した熱で前記燃焼室に供給される排ガスを予熱する蓄熱体が収容された蓄熱室と、
前記蓄熱室から処理済みガスが排出される排出ラインと、
前記燃焼室から前記蓄熱室をバイパスして処理済みガスが排出されるバイパスラインと、
前記バイパスラインを開閉するバイパス弁と、
前記排出ラインと前記バイパスラインを合流させる合流ラインと、を備える排ガス処理装置において、
前記排ガス処理装置からデータを取得するデータ取得部と、
前記データ取得部が取得したデータから診断を行う診断部と、
前記診断部が行った診断結果を表示する表示部と、を備え、
前記データ取得部は、前記バイパス弁が開放されている時間を取得し、
前記診断部は、前記バイパス弁が開放されている時間が所定時間より長い場合には、排熱利用がさらに可能と診断し、
前記表示部は、排熱利用がさらに可能であることを表示することを特徴とする、排ガス処理装置の診断システム。
【請求項２】
排ガスに含まれる有機成分を処理する燃焼手段を備えた燃焼室と、
前記燃焼室において燃焼処理された処理済みガスの熱を蓄熱し、蓄熱した熱で前記燃焼室に供給される排ガスを予熱する蓄熱体が収容された蓄熱室と、
前記蓄熱室から処理済みガスが排出される排出ラインと、
前記燃焼室から前記蓄熱室をバイパスして処理済みガスが排出されるバイパスラインと、
前記バイパスラインを開閉するバイパス弁と、
前記排出ラインと前記バイパスラインを合流させる合流ラインと、を備える排ガス処理装置において、
前記排ガス処理装置からデータを取得するデータ取得部と、
前記データ取得部が取得したデータから診断を行う診断部と、
前記診断部が行った診断結果を表示する表示部と、を備え、
前記データ取得部は、前記燃焼手段が燃焼処理している時間を取得し、
前記診断部は、前記燃焼手段が燃焼処理している時間が所定時間より長い場合には、排熱利用がさらに可能と診断し、
前記表示部は、排熱利用がさらに可能であることを表示することを特徴とする、排ガス処理装置の診断システム。
【請求項３】
排ガスに含まれる有機成分を処理する燃焼手段を備えた燃焼室と、
前記燃焼室において燃焼処理された処理済みガスの熱を蓄熱し、蓄熱した熱で前記燃焼室に供給される排ガスを予熱する蓄熱体が収容された蓄熱室と、
前記蓄熱室から処理済みガスが排出される排出ラインと、
前記燃焼室から前記蓄熱室をバイパスして処理済みガスが排出されるバイパスラインと、
前記バイパスラインを開閉するバイパス弁と、
前記排出ラインと前記バイパスラインを合流させる合流ラインと、を備える排ガス処理装置において、
前記排ガス処理装置からデータを取得するデータ取得部と、
前記データ取得部が取得したデータから診断を行う診断部と、
前記診断部が行った診断結果を表示する表示部と、を備え、
前記データ取得部は、前記排出ラインの排気温度と前記合流ラインの排気温度を取得し、
前記診断部は、前記バイパス弁が閉止されているとき、前記合流ラインの排気温度が前記排出ラインの排気温度より高い場合には、前記バイパス弁に漏れが生じていると診断し、
前記表示部は、前記バイパス弁に漏れが生じていることを表示することを特徴とする、排ガス処理装置の診断システム。
【請求項４】
前記表示部が表示した内容を前記排ガス処理装置の使用者に連絡する連絡手段を備えている、請求項１〜３のいずれか１つに記載の診断システム。
【請求項５】
印刷装置を備えており、
前記印刷装置は、前記表示部が表示した内容を書面に印刷する、請求項１〜３のいずれか１つに記載の診断システム。
【請求項６】
請求項５記載の診断システムによって印刷された診断書。